(57)【特許請求の範囲】
【請求項１】
複数の基地局を有する無線通信ネットワークにアクセスすることができる移動局であって、
前記移動局のバッテリーレベルを監視し、複数の電力レベルしきい値の中の１つの電力レベルしきい値を超過する値から該電力レベルしきい値以下の値に変化した場合、前記移動局のバッテリーレベルに関する情報を示すバッテリー報告を前記無線通信ネットワークの第１の基地局に送信し、
前記バッテリー報告は、前記移動局のバッテリーレベルが前記複数の電力レベルしきい値の中の前記１つのしきい値以下であることを示すことを特徴とする移動局。
【請求項２】
前記第１の基地局により、低いバッテリーレベルを有する移動局に、適切なバッテリーレベルを有する移動局のページングサイクルより長いページングサイクルが割り当てられ、低いバッテリーレベルを有する移動局のページングサイクルの開始時間は、適切なバッテリーレベルを有する移動局のページングサイクルの開始時間に整列されることを特徴とする請求項１に記載の移動局。
【請求項３】
前記バッテリー報告を送信した後に、前記移動局のバッテリー寿命を保存するように設定された複数の送信パラメータ、及びダウンリンク又はアップリンクのリソースに対する割り当てを前記第１の基地局から受信することを特徴とする請求項１又は２に記載の移動局。
【請求項４】
前記バッテリー報告は、前記移動局が充電器にプラグインされた時に前記第１の基地局に送信されることを特徴とする請求項１乃至３のいずれか一項に記載の移動局。
【請求項５】
前記複数の電力レベルしきい値は、データしきい値、映像しきい値、及び音声しきい値の中の少なくとも１つを有することを特徴とする請求項１乃至４のいずれか一項に記載の移動局。
【請求項６】
前記バッテリー報告は、バッテリー電力保存モードに進入するための要請を有することを特徴とする請求項１乃至５のいずれか一項に記載の移動局。
【請求項７】
前記バッテリー電力保存モードは、ページングサイクルを有する強化されたアイドルモードを含み、前記ページングサイクルの使用可能な間隔は、最小値に設定されることを特徴とする請求項６に記載の移動局。
【請求項８】
前記バッテリー電力保存モードは、スリープサイクルを有する強化されたスリープモードを含み、前記スリープモードのリスニング間隔は、最小値に設定されることを特徴とする請求項６又は７に記載の移動局。
【請求項９】
前記バッテリー電力保存モードは、持続的な割り当てモードを含み、複数の時間期間内の各時間期間は、複数のダウンリンクサブフレームに分割され、各時間期間内でダウンリンクサブフレームの中で選択された個数だけが監視されることを特徴とする請求項６乃至８のいずれか一項に記載の移動局。
【請求項１０】
前記移動局は、消去メッセージを前記第１の基地局に送信し、前記消去メッセージは、前記バッテリー報告をキャンセルすることを特徴とする請求項１乃至９のいずれか一項に記載の移動局。
【請求項１１】
前記移動局が前記バッテリー電力保存モードにある場合に、前記移動局は、前記バッテリーレベルが第２のしきい値以下であるか否かを決定し、前記バッテリーレベルが前記第２のしきい値以下である場合に、第２のバッテリー報告を前記第１の基地局に送信し、前記第２のバッテリー報告は、前記バッテリー電力保存モードで追加のバッテリー保存サービスに対する要請を有することを特徴とする請求項６乃至１０のいずれか一項に記載の移動局。
【請求項１２】
無線通信ネットワークにおける複数の移動局と通信することができる基地局であって、
前記複数の移動局の中の第１の移動局から、前記第１の移動局のバッテリーレベルを監視し、複数の電力レベルしきい値の中の１つの電力レベルしきい値を超過する値から該電力レベルしきい値以下の値に変化した場合、前記第１の移動局のバッテリーレベルに関する情報を示すバッテリー報告を受信し、
前記バッテリー報告を受信した後に前記移動局のバッテリー寿命を保存するように複数の送信パラメータを設定し、ダウンリンク又はアップリンクのリソースを割り当て、
前記バッテリー報告は、前記移動局のバッテリーレベルが前記複数の電力レベルしきい値の中の前記１つのしきい値以下であることを示すことを特徴とする基地局。
【請求項１３】
前記基地局は、低いバッテリーレベルを有する移動局に、適切なバッテリーレベルを有する移動局のページングサイクルより長いページングサイクルを割り当て、低いバッテリーレベルを有する移動局のページングサイクルの開始時間は、適切なバッテリーレベルを有する移動局のページングサイクルの開始時間に整列されることを特徴とする請求項１２に記載の基地局。
【請求項１４】
前記バッテリー報告は、前記第１の移動局が充電器にプラグインされた時に前記基地局に送信されることを特徴とする請求項１２又は１３に記載の基地局。
【請求項１５】
前記複数の電力レベルしきい値は、データしきい値、映像しきい値、及び音声しきい値の中の少なくとも１つを有することを特徴とする請求項１２乃至１４のいずれか一項に記載の基地局。
【請求項１６】
前記バッテリー報告は、バッテリー電力保存モードに進入するための要請を有することを特徴とする請求項１２乃至１５のいずれか一項に記載の基地局。
【請求項１７】
前記バッテリー電力保存モードは、ページングサイクルを有する強化されたアイドルモードを含み、前記ページングサイクルの使用可能な間隔は、最小値に設定されることを特徴とする請求項１６に記載の基地局。
【請求項１８】
前記バッテリー電力保存モードは、スリープサイクルを有する強化されたスリープモードを含み、前記スリープモードのリスニング間隔は、最小値に設定されることを特徴とする請求項１６又は１７に記載の基地局。
【請求項１９】
前記バッテリー電力保存モードは、持続的な割り当てモードを含み、複数の時間期間内の各時間期間は、複数のダウンリンクサブフレームに分割され、各時間期間内でダウンリンクサブフレームの中で選択された個数だけが監視されることを特徴とする請求項１６乃至１８のいずれか一項に記載の基地局。
【請求項２０】
前記基地局は、前記第１の移動局から消去メッセージを受信し、前記消去メッセージは、前記バッテリー報告をキャンセルすることを特徴とする請求項１２乃至１９のいずれか一項に記載の基地局。
【請求項２１】
前記基地局は、前記第１の移動局が前のバッテリー電力保存モードを乱用したものと決定されると、前記バッテリー電力保存モードに進入するための要請を拒絶することを特徴とする請求項１２乃至２０のいずれか一項に記載の基地局。
【請求項２２】
前記基地局は、前記移動局が前記基地局からターゲット基地局へのハンドオーバの前に前記バッテリー報告に関連した情報を前記ターゲット基地局に送信することを特徴とする請求項１２乃至２１のいずれか一項に記載の基地局。
【請求項２３】
複数の基地局を有する無線通信ネットワークにアクセスすることができる移動局によるバッテリー寿命保存方法であって、
前記移動局のバッテリーレベルを監視し、複数の電力レベルしきい値の中の１つの電力レベルしきい値を超過する値から該電力レベルしきい値以下の値に変化した場合、前記移動局のバッテリーレベルに関する情報を示すバッテリー報告を無線通信ネットワークの第１の基地局に送信するステップを有し、
前記バッテリー報告は、前記移動局のバッテリーレベルが前記複数の電力レベルしきい値の中の前記１つのしきい値以下であることを示すことを特徴とする方法。
【請求項２４】
前記第１の基地局により、低いバッテリーレベルを有する移動局に、適切なバッテリーレベルを有する移動局のページングサイクルより長いページングサイクルが割り当てられ、低いバッテリーレベルを有する移動局のページングサイクルの開始時間は、適切なバッテリーレベルを有する移動局のページングサイクルの開始時間に整列されることを特徴とする請求項２３に記載の方法。
【請求項２５】
前記バッテリー報告を送信した後に、前記移動局のバッテリー寿命を保存するように設定された複数の送信パラメータ、及びダウンリンク又はアップリンクのリソースに対する割り当てを前記第１の基地局から受信するステップをさらに有することを特徴とする請求項２３又は２４に記載の方法。
【請求項２６】
前記バッテリー報告は、前記移動局が充電器にプラグインされた時に前記第１の基地局に送信されることを特徴とする請求項２３乃至２５のいずれか一項に記載の方法。
【請求項２７】
前記複数の電力レベルしきい値は、データしきい値、映像しきい値、及び音声しきい値の中の少なくとも１つを有することを特徴とする請求項２３乃至２６のいずれか一項に記載の方法。
【請求項２８】
前記バッテリー報告は、バッテリー電力保存モードに進入するための要請を有することを特徴とする請求項２３乃至２７のいずれか一項に記載の方法。
【請求項２９】
前記バッテリー電力保存モードは、ページングサイクルを有する強化されたアイドルモードを含み、前記ページングサイクルの使用可能な間隔は、最小値に設定されることを特徴とする請求項２８に記載の方法。
【請求項３０】
前記バッテリー電力保存モードは、スリープサイクルを有する強化されたスリープモードを含み、前記スリープモードのリスニング間隔は、最小値に設定されることを特徴とする請求項２８又は２９に記載の方法。
【請求項３１】
前記バッテリー電力保存モードは、持続的な割り当てモードを含み、複数の時間期間内の各時間期間は、複数のダウンリンクサブフレームに分割され、各時間期間内でダウンリンクサブフレームの中で選択された個数だけが監視されることを特徴とする請求項２８乃至３０のいずれか一項に記載の方法。
【請求項３２】
前記第１の基地局に消去メッセージを送信するステップをさらに有し、前記消去メッセージは前記バッテリー報告をキャンセルすることを特徴とする請求項２３乃至３１のいずれか一項に記載の方法。
【請求項３３】
前記移動局が前記バッテリー電力保存モードにある場合に、前記移動局は、バッテリーレベルが第２のしきい値以下であるか否かを決定するステップと、
前記バッテリーレベルが前記第２のしきい値以下である場合に、第２のバッテリー報告を前記第１の基地局に送信するステップとをさらに有し、
前記第２のバッテリー報告は、前記バッテリー電力保存モードで追加のバッテリー保存サービスに対する要請を有することを特徴とする請求項２３乃至３２のいずれか一項に記載の方法。
【請求項３４】
無線通信ネットワークにおける複数の移動局と通信する基地局による移動局のバッテリー寿命保存方法であって、
前記複数の移動局の中の第１の移動局から、前記第１の移動局のバッテリーレベルを監視し、複数の電力レベルしきい値の中の１つの電力レベルしきい値を超過する値から該電力レベルしきい値以下の値に変化した場合、前記第１の移動局のバッテリーレベルに関する情報を示すバッテリー報告を受信するステップと、
前記バッテリー報告を受信した後に前記移動局のバッテリー寿命を保存するように複数の送信パラメータを設定し、ダウンリンク又はアップリンクのリソースを割り当てるステップと
を有し、
前記バッテリー報告は、前記移動局のバッテリーレベルが前記複数の電力レベルしきい値の中の前記１つのしきい値以下であることを示すことを特徴とする方法。
【請求項３５】
前記基地局は、低いバッテリーレベルを有する移動局に、適切なバッテリーレベルを有する移動局のページングサイクルより長いページングサイクルを割り当て、低いバッテリーレベルを有する移動局のページングサイクルの開始時間は、適切なバッテリーレベルを有する移動局のページングサイクルの開始時間に整列されることを特徴とする請求項３４に記載の方法。
【請求項３６】
前記バッテリー報告は、前記第１の移動局が充電器にプラグインされた時に前記基地局に送信されることを特徴とする請求項３４又は３５に記載の方法。
【請求項３７】
前記複数の電力レベルしきい値は、データしきい値、映像しきい値、及び音声しきい値の中の少なくとも１つを有することを特徴とする請求項３４乃至３６のいずれか一項に記載の方法。
【請求項３８】
前記バッテリー報告は、バッテリー電力保存モードに進入するための要請を有することを特徴とする請求項３４乃至３７のいずれか一項に記載の方法。
【請求項３９】
前記バッテリー電力保存モードは、ページングサイクルを有する強化されたアイドルモードを含み、前記ページングサイクルの使用可能な間隔は、最小値に設定されることを特徴とする請求項３８に記載の方法。
【請求項４０】
前記バッテリー電力保存モードは、スリープサイクルを有する強化されたスリープモードを含み、前記スリープモードのリスニング間隔は、最小値に設定されることを特徴とする請求項３８又は３９に記載の方法。
【請求項４１】
前記バッテリー電力保存モードは、持続的な割り当てモードを含み、複数の時間期間内の各時間期間は、複数のダウンリンクサブフレームに分割され、各時間期間内でダウンリンクサブフレームの中で選択された個数だけが監視されることを特徴とする請求項３８乃至４０のいずれか一項に記載の方法。
【請求項４２】
前記第１の移動局から消去メッセージを受信するステップをさらに有し、前記消去メッセージは、前記バッテリー報告をキャンセルすることを特徴とする請求項３４乃至４１のいずれか一項に記載の方法。
【請求項４３】
前記第１の移動局が前のバッテリー電力保存モードを乱用したものと決定し、前記バッテリー電力保存モードに進入するための要請を拒絶するステップをさらに有することを特徴とする請求項３８乃至４２のいずれか一項に記載の方法。
【請求項４４】
前記移動局が前記基地局からターゲット基地局へのハンドオーバの前に前記バッテリー報告に関連した情報を前記ターゲット基地局に送信するステップをさらに有することを特徴とする請求項３４乃至４３のいずれか一項に記載の方法。
【発明の詳細な説明】
【技術分野】
【０００１】
本発明は、一般的に、再充電可能なバッテリーに関し、特に、移動局におけるバッテリー寿命保存方法に関する。
【背景技術】
【０００２】
バッテリー寿命は、携帯用装置及び移動装置が無線（over the air）接続を保持するために重要な事項である。従来技術のアドホックネットワーク及びメッシュネットワークにおいてこのような例が存在し、ここでの装置は、バッテリーレベルに基づいてネットワーク接続に寄与するかを決定する。例えば、十分なバッテリー寿命を有する装置は、限定されたバッテリー寿命を有する装置を助ける無線ルータ又は中継局として動作することをサポートすることができる。通常、これは、各移動局が活性モードで基地局に接続されるか又はアイドルモードで基地局を監視するセルラーネットワークトポロジーの場合には該当しない。
【０００３】
伝統的に、移動局のバッテリーレベルは、セルラー通信のスケジューリング及びリソース割り当てで重要な役割を行わない。多くの欠点の中の１つは、移動局の電力が速く消耗される可能性があるというものである。
【発明の概要】
【発明が解決しようとする課題】
【０００４】
本発明の目的は、少なくとも上述した問題点及び／又は不都合に取り組み、少なくとも以下の便宜を提供することにある。すなわち、本発明の目的は、移動局のバッテリー寿命を保存する方法を提供することにある。
【課題を解決するための手段】
【０００５】
上記のような目的を達成するために、本発明の実施形態の一態様によれば、複数の基地局を有する無線通信ネットワークにアクセスすることができる移動局を提供する。上記移動局は、上記移動局のバッテリーレベルが複数の電力レベルしきい値の中の選択されたしきい値以下であるか否かを決定し、上記バッテリーレベルが上記選択された電力レベルしきい値以下である場合に、バッテリー報告を上記無線通信ネットワークの第１の基地局に送信し、バッテリー電力保存モードに進入することを特徴とする。
【０００６】
本発明の実施形態の他の態様によれば、無線通信ネットワークにおける複数の移動局と通信することができる基地局を提供する。上記基地局は、上記複数の移動局の中の第１の移動局からバッテリー報告を受信し、上記第１の移動局がバッテリー電力保存モードに進入する資格があるか否かを決定し、上記第１の移動局が上記バッテリー電力保存モードに進入する資格があると決定される場合に、上記第１の移動局のためのバッテリー電力保存モードに進入することを特徴とする。
【０００７】
本発明の実施形態のさらなる他の態様によれば、複数の移動局と通信する各基地局を含む無線通信ネットワークを提供する。上記無線通信ネットワークは、上記複数の移動局の中の第１の移動局からバッテリー報告を受信し、上記第１の移動局がバッテリー電力保存モードに進入する資格があるか否かを決定し、上記第１の移動局が上記バッテリー電力保存モードに進入する資格があると決定される場合に、上記第１の移動局のためのバッテリー電力保存モードに進入する基地局を含むことを特徴とする。
【発明の効果】
【０００８】
本発明は、移動局がバッテリーレベルだけでなく装置タイプ（device type）も報告するようにすることにより、基地局が移動局のためのバッテリー寿命を保存するための動作を調整する方法についてよりよい決定を下すことができる。
また、本発明は、自身の装置タイプ及び実際の動作シナリオ（real-type operation scenario）での状態を決定する認識能力（cognitive ability）を移動局に提供する。
本発明の他の目的、利点、及び顕著な特徴は、添付の図面及び本発明の実施形態からなされる以下の詳細な説明から、当業者にとって明確になるはずである。
【図面の簡単な説明】
【０００９】
【図１】本発明の一実施形態による無線ネットワーク１００を示す図である。
【図２】本発明の一実施形態による無線移動局２００の構成を示すブロック図である。
【図３】本発明の一実施形態に従ってバッテリー寿命保存過程を示すフローチャートである。
【図４】本発明の一実施形態に従ってバッテリー寿命保存過程を詳細に示すフローチャートである。
【図５】本発明の一実施形態に従って基地局が移動局からのバッテリー報告を確認する過程を示すフローチャートである。
【図６】本発明の一実施形態に従ってバッテリー報告を管理する過程を示すフローチャートである。
【図７】本発明の一実施形態に従ってバッテリー報告に応じて移動局及び基地局のための有限（finite）状態マシンを示す図である。
【図８】本発明の実施形態に従って強化されたアイドルモードで移動局のためのページングサイクルを示す図である。
【図９】本発明の実施形態に従って強化されたアイドルモードで移動局のためのページングサイクルを示す図である。
【図１０】本発明の実施形態による基地局が移動局のバッテリー寿命を保存する過程を示すフローチャートである。
【図１１】本発明の一実施形態に従って持続的なリソース割り当ての使用を示す図である。
【図１２】本発明の一実施形態による移動局がバッテリー報告を送信した場合における電力消費を保存するハンドオーバ過程を示すフローチャートである。
【図１３】本発明の一実施形態に従って緊急呼のためにバッテリー電力を維持する過程を示すフローチャートである。
【発明を実施するための形態】
【００１０】
隣接基地局は、ハンドオーバ、ネットワーク再進入及び複数の基地局と連動される他の動作の間に、移動局のためのバッテリー電力保存モードをサポートするためにともに動作を実行し得る。中央制御局（central controller）（例えば、ページング制御局（paging controller））は、アイドルモード、ページング、及びコアネットワークが連動される他の動作の間に移動局のためのバッテリー電力保存モードをサポートするためにコアネットワークと連動され得る。
【００１１】
本発明を詳細に説明するに先立って、本明細書の全般にわたって使用される特定の単語及び語句の定義を開示することが望ましい。“含む（include）”及び “備える（comprise）”という語句だけではなく、その派生語（derivatives thereof）は、限定ではなく、含有を意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“挿入する（interleave）”、“並列する（juxtapose）”、“近接する（be proximate to）”、“接する（be bound to or with）”、“有する（have）”、及び“特性を有する（have a property of）”などを意味することができる。制御器は、少なくとも１つの動作を制御する装置、システム又はその部分を意味するもので、ハードウェア、ファームウェア、ソフトウェア、又は、それらのうちの２つ以上の組合せで実現することができる。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００１２】
以下で説明する図１乃至図１３及び本明細書で本発明の原理を記述するために使用される様々な実施形態は、ただ例示的なものであって、本発明の趣旨を限定するものであると解釈すべきではない。当業者であれば、本発明の原理が適切に配置された任意の移動局及び無線通信システムで実現することができるものであることは自明である。
【００１３】
本願で十分に提示された通りに下記の文書及び標準についての説明は、本発明に含まれる。
ＩＥＥＥ  Ｃ８０２．１６ｍ−０９／０７７７，すなわち、ＩＥＥＥ８０２．１６ｍ接続モードの電力管理について２００９年４月に提案された改訂本（以下、“０７７７参照”と称する）
ＩＥＥＥ  Ｃ８０２．１６ｍ−０９／１１３６ｒ２、すなわち、ＩＥＥＥ８０２．１６ｍ改訂本でのＤＬ及びＵＬの持続的な割り当てのためのＭＡＣ過程について２００９年５月に提案された文書（以下、“１１３６ｒ２参照”と称する）
【００１４】
ＩＥＥＥ８０２．１６ｍ標準に関する新たな寄稿文では、移動局が接続モードで電力管理をサポートし、そのバッテリーレベルが一定のしきい値以下となる際に移動局が自身のバッテリーレベルを基地局に報告するように提案している。しかしながら、各装置が異なるタイプであり得、同一のバッテリーレベルが相互に異なるモバイル装置に対する異なる状況を意味し得るために、すべての移動局に対して適切な単一のバッテリーレベルを定義することが難しい。他の欠陥は、バッテリーレベル報告に応じて基地局が何をすべきであるかに関する仕様が不足であるという点である。
【００１５】
本発明は、モバイルハンドセットのバッテリー寿命を保存する方法及びシステムを提供する（また、モバイルハンドセットは、モバイル装置、移動局、又は加入局とも呼ばれる。これらの用語は、本発明の開示全体にわたってほとんど同じ意味で使用される。）。本願で開示されたシステム及び方法は、移動局の現在の動作状態に関連した移動局のバッテリー寿命を関連する基地局に通知し、一般的な通信及び緊急呼への影響を最小化しつつ基地局が移動局バッテリーの保存を助けるようにする。
【００１６】
図１は、本発明の一実施形態による無線ネットワーク１００を示す図である。図示した実施形態において、無線ネットワーク１００は、基地局（ＢＳ）１０１、基地局（ＢＳ）１０２、及び基地局（ＢＳ）１０３を含む。基地局１０１は、基地局１０２及び基地局１０３と通信する。また、基地局１０１は、インターネット、私設インターネットプロトコル（Internet Protocol：以下、“ＩＰ”と称する）ネットワーク、又は他のデータネットワークのようなインターネットプロトコル（ＩＰ）ネットワーク１３０と通信する。
【００１７】
基地局１０２は、基地局１０１を介してネットワーク１３０及び基地局１０２のカバレッジ領域１２０内の第１の複数の加入局に対する無線広帯域接続を提供する。第１の複数の加入局は、加入局（ＳＳ）１１１、加入局（ＳＳ）１１２、加入局（ＳＳ）１１３、加入局（ＳＳ）１１４、加入局（ＳＳ）１１５、及び加入局（ＳＳ）１１６を含む。加入局１１１乃至１１６は、携帯電話、モバイルＰＤＡ、及び任意の移動局（ＭＳ）のような任意の無線通信装置であり得、これに限定されない。例えば、ＳＳ１１１は、小企業（ＳＢ）に位置し得、ＳＳ１１２は、大企業（Ｅ）に位置し得、ＳＳ１１３は、ＷｉＦｉホットスポット（ＨＳ）に位置し得、ＳＳ１１４は、居住地に位置し得、ＳＳ１１５及びＳＳ１１６は、モバイル装置であり得る。
【００１８】
基地局１０３は、基地局１０１を介してネットワーク１３０と基地局１０３のカバレッジ領域１２５内の第２の複数の加入局に対する無線広帯域接続を提供する。第２の複数の加入局は、加入局１１５及び加入局１１６を含む。例えば、基地局１０２及び１０３は、基地局１０１を介して間接的に接続されるものではなく、光ファイバー、ＤＳＬ、ケーブル、又はＴ１／Ｅ１ラインのような有線広帯域接続によりインターネットに直接に接続され得る。
【００１９】
他の実施形態において、基地局１０１は、これより少ない数の又はこれより多くの数の基地局と通信し得る。また、図１では、６個の加入局だけが図示されているが、無線ネットワーク１００は、６個以上の加入局に対する無線広帯域接続を提供し得る。加入局１１５及び加入局１１６は、カバレッジ領域１２０及びカバレッジ領域１２５の両方のエッジ上に存在する。加入局１１５及び加入局１１６は、それぞれ基地局１０２及び基地局１０３と通信し、相互に干渉するセル−エッジ装置であるといえる。例えば、ＢＳ１０２とＳＳ１１６間の通信は、ＢＳ１０３とＳＳ１１５間の通信と干渉し得る。付加的に、ＢＳ１０３とＳＳ１１５間の通信は、ＢＳ１０２とＳＳ１１６間の通信と干渉し得る。
【００２０】
加入局１１１乃至１１６は、ネットワーク１３０に対する広帯域接続を用いて音声、データ、映像、ビデオ遠隔会議、及び／又は他の広帯域サービスに接続することができる。例えば、１つ以上の加入局１１１乃至１１６は、ＷｉＦｉ  ＷＬＡＮ （Wireless local area network）のアクセスポイント（Access Point：以下、“ＡＰ”と称する）と関連し得る。加入局１１６は、任意の個数のモバイル装置であり得、これは、ワイヤレス対応のラップトップコンピュータ、個人用データアシスタント、ノートブック型コンピュータ、ハンドヘルド装置、又は他のワイヤレス対応装置を含む。加入局１１４は、例えば、無線個人用コンピュータ、ラップトップコンピュータ、ゲートウェイ、又は他の装置であり得る。
【００２１】
図１に示す点線は、カバレッジ領域１２０及び１２５の概略的な範囲を示し、これは、例示及び説明だけのためにほぼ円形として示される。基地局と関連したカバレッジ領域、例えば、カバレッジ領域１２０及び１２５が不規則な形状を含む他の形状を有し得るので、これは、自然物及び人工障害物と関連した無線環境での変化及び基地局の構成に基づくことを明確に理解しなければならない。
【００２２】
また、基地局と関連したカバレッジ領域は、時間とともに一定でなく、基地局及び／又は加入局の送信電力レベルの変化、天気状態、及び他の因子に基づいて動的であり得る（拡張されるか又は収縮されるか又は形状が変更される）。例えば、基地局のカバレッジ領域の半径、例えば、基地局１０２及び１０３のカバレッジ領域１２０及び１２５は、基地局からの２キロメートル以下から略５０キロメートルの範囲まで拡張し得る。
【００２３】
当該技術分野においてよく知られているように、基地局１０１、１０２、又は１０３は、カバレッジ領域内の複数のセクタをサポートするための指向性アンテナを使用し得る。図１において、基地局１０２及び１０３は、概略的にカバレッジ領域１２０及び１２５の中心にそれぞれ位置する。他の実施形態において、指向性アンテナの使用は、カバレッジ領域の境界の近傍、例えば、円錐形又は洋ナシ形のカバレッジ領域の境界に位置し得る。
【００２４】
図２は、本発明の実施形態による無線移動局２００の構成を示すブロック図である。ここで、無線移動局２００は、図１に示す加入局１１１乃至１１６の中の任意の１つを示し得る。図２に示す無線移動局（ＭＳ）２００の実施形態は、例示のためのものである。本発明の範囲を逸脱しない範囲内で無線移動局２００の他の実施形態も使用され得る。
【００２５】
無線移動局２００は、アンテナ２０５、無線周波数（ＲＦ）送受信器２１０、送信（ＴＸ）処理回路２１５、マイクロフォン２２０、及び受信（ＲＸ）処理回路２２５を含む。また、移動局２００は、スピーカ２３０、メインプロセッサ２４０、入力／出力（Ｉ／Ｏ）インターフェース（ＩＦ）２４５、キーパッド２５０、ディスプレー２５５、メモリ２６０、電力マネージャ２７０、及びバッテリー２８０を含む。
【００２６】
無線周波数（ＲＦ）送受信器２１０は、無線ネットワーク１００の基地局により送信される受信ＲＦ信号をアンテナから受信し、この受信されたＲＦ信号をダウンコンバートすることにより中間周波数（ＩＦ）又は基底帯域信号を発生させる。ＩＦ信号又は基底帯域信号は、受信（ＲＸ）処理回路２２５に送信され、このような基底帯域又はＩＦ信号のフィルタリング、デコーディング及び／又はデジタル化を行うことにより処理された基底帯域信号を発生する。受信（ＲＸ）処理回路２２５は、この処理された基底帯域信号をスピーカ２３０に送信するか（すなわち、音声データ）又は追加の処理のためにメインプロセッサ２４０に送信する（例えば、ウェブブラウジング）。
【００２７】
送信（ＴＸ）処理回路２１５は、マイクロフォン２２０からアナログ又はデジタル音声データを受信するか、又はメインプロセッサ２４０から他の出力基底帯域データ（例えば、ウェブデータ、電子メール、対話型ビデオゲームデータ）を受信する。送信（ＴＸ）処理回路２１５は、この出力基底帯域データの符号化、多重化、及び／又はデジタル化を行うことにより、処理された基底帯域信号又はＩＦ信号を発生する。無線周波数（ＲＦ）送受信器２１０は、送信（ＴＸ）処理回路２１５から処理された基底帯域又はＩＦ信号を受信する。無線周波数（ＲＦ）送受信器２１０は、基底帯域又はＩＦ信号をアンテナ２０５を介して送信される無線周波数（ＲＦ）信号にアップコンバートする。
【００２８】
メインプロセッサ２４０は、マイクロプロセッサ又はマイクロ制御器である。メモリ２６０は、メインプロセッサ２４０に結合され、任意のコンピュータ読み取り可能な媒体であり得る。例えば、メモリ２６０は、任意の電子装置、磁気装置、電磁気装置、光学装置、電子−光学装置、電子−機械装置、及び／又はマイクロプロセッサ又は他のコンピュータ関連システム又は方法により使用されるコンピュータプログラム、ソフトウェア、ファームウェア、又はデータ包含、格納、通信、伝播、又は送信可能な他の物理的な装置であり得る。このような実施形態によると、メモリ２６０の一部分は、ランダムアクセスメモリ（Random Access Memory：ＲＡＭ）を有し、メモリ２６０の他の部分は、読み取り専用メモリ（Read-Only Memory：ＲＯＭ）として機能するフラッシュメモリを有する。
【００２９】
メインプロセッサ２４０は、メモリ２６０に格納された基本オペレーティングシステム（ＯＳ）プログラム２６１を実行することにより移動局２００の全体の動作を制御する。このような動作において、よく知られた原理に従って、メインプロセッサ２４０は、無線周波数（ＲＦ）送受信器２１０、受信（ＲＸ）処理回路２２５、及び送信（ＴＸ）処理回路２１５による順方向チャネル信号の受信及び逆方向チャネル信号の送信を制御する。
【００３０】
メインプロセッサ２４０は、メモリ２６０に格納された他のプロセス及びプログラムを実行することができ、実行過程での要請に応じてデータをメモリ２６０に移動するか又はメモリ２６０からデータを抽出することができる。また、メインプロセッサ２４０は、Ｉ／Ｏインターフェース２４５に結合される。Ｉ／Ｏインターフェース２４５は、ラップトップコンピュータ及びハンドヘルドコンピュータのような他の装置に接続する機能を移動局２００に提供する。すなわち、Ｉ／Ｏインターフェース２４５は、このような附属装置とメインコントローラ２４０間の通信経路である。
【００３１】
また、メインプロセッサ２４０は、キーパッド２５０及びディスプレーユニット２５５に結合される。移動局２００のオペレータは、キーパッド２５０を用いてデータを移動局２００に入力する。ディスプレー２５５は、ウェブサイトからのテキスト及び／又はグラフィックを表示可能な液晶ディスプレー又は発光ダイオード（ＬＥＤ）ディスプレーであり得る。また、ディスプレー２５５の以外の他のタイプのディスプレーを使用し得る。
【００３２】
図２に示すように、電力マネージャ２７０は、バッテリー２８０のバッテリー消耗をリアルタイムで監視し、必要であれば、移動局２００内の他のユニットだけでなくサービング基地局及びコアネットワークと相互作用することによりＡＣ供給器にプラグインされない時にも移動局２００の寿命を延長する。
【００３３】
複数の種類のモバイル装置を公平にサポートするために、ネットワーク及び／又は基地局は、各種類のモバイル装置に対する電力レベルしきい値を定義する。ここで、各電力レベルしきい値は、その下部でバッテリー保存方法が発生するバッテリーレベルに対応する。同一の物理装置の場合にも、様々な使用モードに対して相互に異なるしきい値が定義され得る。
【００３４】
例えば、Ｔ＿ｖｉｄｅｏは、映像使用モードでモバイル装置に対する電力レベルしきい値として定義され得る。同様に、Ｔ＿ｖｏｉｃｅ及びＴ＿ｄａｔａは、それぞれ音声及びデータ呼モードに対して定義され得る。典型的に、映像使用が音声呼より多くの電力を消耗するために、Ｔ＿ｖｉｄｅｏの値は、Ｔ＿ｖｏｉｃｅの値より高くなることにより同一の時間量の間にバッテリー寿命を保存しなければならない。同様に、Ｔ＿ｖｏｉｃｅの値は、同一の時間量を保存するためにＴ＿ｄａｔａの値より大きくなり得る。一実施形態において、移動局のバッテリーレベルがその装置のタイプに対して定義されたしきい値以下となる場合に、移動局は、バッテリーレベルだけでなく装置タイプを報告し得る。
【００３５】
図２に示す移動局２００を参照すると、電力マネージャ２７０は、装置タイプに対して予め定められたしきい値に対して現在のバッテリーレベルを比較するためにバッテリー２８０及びメインプロセッサ２４０とインターフェースする。この比較の結果、このバッテリーレベルがしきい値より小さいか又は同一である際に、移動局２００は、サービング基地局及び／又はコアネットワークにバッテリー報告を送信する。
【００３６】
図３は、本発明の一実施形態に従ってバッテリー寿命保存過程を示すフローチャートである。方法３００は、移動局（例えば、移動局２００）が正常動作モードにある際に使用され得る。本発明での“正常動作”という用語は、電力保存モードと区別するために使用される。正常動作モードは、接続モード、アイドルモード（又は登録解除モード）、スリープモード、及び活性モードを含み得る。また、移動局２００の他の動作モードも正常動作モードと見なされ得る。本願に開示された図及び方法は、別途説明されていない限り任意の正常動作モードに適用される。
【００３７】
方法３００は、正常動作モードで開始する（ステップ３０５）。移動局２００がバッテリー寿命を保存するための電力管理方法をサポートするように現在構成されているかが決定される（ステップ３１０）。移動局２００が現在電力管理をサポートするように構成されていない場合に、移動局２００は、電力管理なしに正常動作モードにとどまる。他方、移動局２００が現在電力管理をサポートするように構成されている場合に、移動局２００は、バッテリー２８０の電力レベルを連続してチェックすることによりバッテリーレベルが任意に予め定められたしきい値以下にあるかを決定する（ステップ３１５）。
【００３８】
上述したように、しきい値レベルは、移動局２００の使用モードにより決定される。例えば、移動局２００が映像使用モードにある場合に、しきい値レベルは、Ｔ＿ｖｉｄｅｏであり得る。バッテリー２８０の電力レベルが予め定められたしきい値を超過する場合に、何も動作が実行されない。移動局２００は、バッテリー２８０の電力レベルを継続して監視する。一方、バッテリー２８０の電力レベルがしきい値レベル以下である場合に、移動局２００は、バッテリー報告を基地局に送信する（ステップ３２０）。
【００３９】
ここで、バッテリー報告は、移動局２００に関する情報とバッテリー２８０の状態とを含む。例えば、バッテリー報告は、バッテリー２８０の現在の電力レベル、移動局２００の動作モード（例えば、接続モード、アイドルモード、スリープモードなど）、移動局２００の使用モード（例えば、映像、音声呼、データ呼など）、トラフィック分類、所望のモードの電力保存（又はバッテリー保護）、及び電力保存モードが規定されなければならない時間量を含み得る。この電力保存モードは、より詳細に説明される。
【００４０】
このバッテリー報告を基地局に送信した後に、移動局２００は、指定された電力保存モードに進入する（ステップ３２５）。移動局２００は、所定の時間期間の間に、又はバッテリー２８０の電力レベルが現在のしきい値レベル以上であるときまで、移動局２００は、電力保存モードにとどまる。これは、バッテリー２８０の充電による又は（例えば、使用モードの変化による）現在のしきい値レベルの減少によるものであり得る。電力保存モードをより詳細に説明する。
【００４１】
図４は、本発明の一実施形態によるバッテリー寿命保存過程をより詳細に示すフローチャートである。すなわち、方法４００は、方法３００のより詳細な実施形態を示す。方法４００は、移動局（例えば、移動局２００）が自身の装置状態及び使用モードを認識し、これに従ってバッテリーレベルを報告する認知能力を有する場合に使用され得る。
【００４２】
方法４００は、正常動作モード（ステップ４０５）で開始される。移動局２００が現在電力取り出し口にプラグインされているか否かを決定する。移動局２００が電力取り出し口にプラグインされ充電される場合に、現在の電力レベルが一定のしきい値以下である場合にも（例えば、前のバッテリー報告をキャンセルするメッセージを除いて）新しいバッテリー報告を送信しない。他方、移動局２００が現在電力取り出し口にプラグインされていない場合に、方法は、ステップ４１０に続く。
【００４３】
ステップ４１０で、移動局２００が現在電力管理方法をサポートすることによりバッテリー寿命を保存するように構成されているか否かを決定する。移動局２００が現在電力管理をサポートするように構成されていない場合に、移動局２００は、電力管理なしに正常動作モードにとどまる。一方、移動局２００が現在電力管理をサポートするように構成されている場合に、移動局２００は、移動局２００が映像モード（ステップ４１１及び４１２）、音声モード（ステップ４１３及び４１４）、又は他のモード（ステップ４１５）にあるか否かに基づいて異なるしきい値に対してバッテリー２８０の電力レベルを比較する。バッテリー２８０の電力レベルが特定のしきい値レベル以下である場合に、移動局２００は、バッテリー報告を基地局に送信する（ステップ４２０）。
【００４４】
例えば、移動局２００がＴ＿ｖｉｄｅｏとＴ＿ｖｏｉｃｅの間のバッテリーレベルを有すると仮定する。この場合に、そのバッテリーレベルがＴ＿ｖｏｉｃｅより上にあるために、移動局２００が音声呼モードだけで動作する場合にバッテリー報告を送信しない可能性がある。一方、移動局２００が現在映像モードで動作している場合に、自身のバッテリーレベルを報告する。その理由は、移動局２００自身のバッテリーレベルがＴ＿ｖｉｄｅｏ以下であるためである。
【００４５】
このバッテリー報告を基地局に送信した後に、移動局２００は、指定された電力保存モードに進入する（ステップ４２５）。
【００４６】
図５は、本発明の一実施形態に従って基地局が移動局からのバッテリー報告を確認する過程を示すフローチャートである。この方法は、バッテリー報告を送信する際にも移動局２００の電力消耗の減少を提供する。
【００４７】
方法５００は、正常動作モード又は電力保存モードでの移動局２００から始まる（ステップ５０５）。移動局２００と通信する基地局（例えば、基地局１０２）は、新たなバッテリー報告が移動局２００から受信されるか否かを決定する（ステップ５１０）。基地局１０２が移動局２００から新たなバッテリー報告を受信しない場合に、基地局１０２は、継続して新たなバッテリー報告をチェックする。
【００４８】
一方、基地局１０２が移動局２００から新たなバッテリー報告を受信する場合に、基地局１０２は、コアネットワーク内の一定のエンティティーを用いて移動局要請を認証し、即座に又は少なくとも一定の時間期間内でバッテリー報告を確認することにより移動局２００が数回報告する必要がない（ステップ５１５）。例えば、基地局１０２は、移動局２００が報告を記録で保持することにより移動局２００が基地局１０２に接続されている限りは移動局２００が周期的に報告する必要がない。また、基地局１０２は、コアネットワークに通知しなければならず、これにより、移動局２００が異なるセルに移動する際にも新たなバッテリー報告を送信する必要がない。しかしながら、新たな基地局（例えば、基地局１０３）が状況を認識することができない場合に、移動局２００は、バッテリー保存のための改善したサービスを得るためにバッテリー報告を新たな基地局に送信しなければならない。
【００４９】
基地局１０２がバッテリー報告を確認した後に、移動局２００は、電力保存モード（ステップ５２０）に進入する。
【００５０】
図６は、本発明の一実施形態に従ってバッテリー報告を管理する過程を示すフローチャートである。方法６００は、移動局のバッテリーレベルが新たなしきい値に移動するか、又は移動局が充電器にプラグインされる際に使用され得る。
【００５１】
方法６００は、電力保存モードにある移動局２００で開始される（ステップ６０５）。例えば、移動局２００のバッテリーレベルが第１のしきい値以下に落ちるために移動局２００が電力保存モードに進入する。移動局２００は、現在のバッテリーレベルが第１のしきい値より小さい第２のしきい値より小さいか又は同一であるかを決定する（ステップ６１０）。このような場合に、移動局２００は、自身のバッテリーレベルが第２のしきい値以下にあることを説明する新たなバッテリー報告を送信することができる。ここで、新たなバッテリー報告は、付加的な保存サービスを移動局２００に提供するように基地局に要請することにより移動局のバッテリー寿命を延長させることができる。
【００５２】
一方、移動局２００の現在のバッテリーレベルが第２のしきい値以下でない場合に、移動局２００は、現在のバッテリーレベルが第１のしきい値を超過するか否かを決定する（ステップ６２０）。第１のしきい値を超過しない場合に、移動局２００は、電力保存モードにとどまる。
【００５３】
一方、現在のバッテリーレベルが第１のしきい値より上昇した場合（例えば、移動局２００が充電器にプラグインされ、充電される場合）に、移動局２００は、前のバッテリー報告をキャンセルするメッセージを基地局に送信する（ステップ６２５）。移動局２００は、正常動作モードに進入する（ステップ６３０）。このように動作すると、基地局は、移動局２００をスケジューリング又は他の問題に関する制約がない正常のモバイル装置として取り扱い得る。これは、基地局がすべての移動局を公正に取り扱うようにし、すなわち、移動局のバッテリーレベルが一定のしきい値以上である場合に過度なサポートを移動局に提供しないようにする。
【００５４】
同様に、現在のバッテリーレベルが第２のしきい値より大きいが、やはり第１のしきい値以下にあり、移動局２００が充電器にプラグインされない場合に、移動局２００は、第２のしきい値に関するバッテリー報告をキャンセルするメッセージを基地局に送信する。この場合に、移動局２００は、この第２のしきい値レベルでない第１のしきい値レベルの電力保存モードにとどまる。
【００５５】
このように、基地局がすべての移動局を公正に取り扱うとともに十分なバッテリー寿命を有する移動局に過度なバッテリー保存サービスを提供しないことは重要である。移動局がバッテリー報告を送信し、移動局バッテリーを保存するための改善した方法を使用するように基地局に要請するか又は要求した際に、基地局は、このような移動局に対するタイマーを開始しなければならない。一部の実施形態において、タイマーは、コアネットワークにより管理され得る。タイマーが完了した際に、基地局（又はコアネットワーク）は、移動局バッテリーを保存するための改善した方法の使用を中止し得る。
【００５６】
一実施形態において、バッテリー寿命が報告された場合に、タイマーは、移動局がやはり活性で維持されることができる最大可能な時間期間の推定値に対応するように設計され得る。タイマーの値は、移動局の異なる動作シナリオを考慮することができ、例えば、移動局は、活性モードでよりアイドルモードではるかに長く活性状態にとどまり得る。したがって、このタイマーは、移動局がアイドルモードにある時より活性モードにある時に少ない時間で開始され得る。このタイマーは、移動局が現在のバッテリー報告をキャンセルする際に中断され得る。
【００５７】
このタイマーが満了した後に移動局がやはり電源がオンである場合に、ネットワークは、電力保存サービスを乱用したものとして移動局を表示し得る。移動局がバッテリー報告を送信する際に、基地局（又は他のネットワークリソース）は、コアネットワーク内のデータベースに対してチェックすることにより移動局が前に電力保存サービスを乱用したか否かを確認する。この後に、基地局は、このような移動局に対するバッテリー寿命を保存するために追加で改善したサービスを提供するか否かを決定し得る。
【００５８】
図７は、本発明の一実施形態に従ってバッテリー報告に応じて移動局及び基地局のための有限（finite）状態マシンを示す図である。各経路において、‘／’シンボル前のテキストは、条件を示し、‘／’シンボル後のテキストは、後続状態への遷移前に取らなければならない動作を示す。例えば、移動局は、現在属している装置タイプに対して定義された一定のしきい値に対してそのバッテリーレベルを継続して監視する。このバッテリーレベルがしきい値以下である場合に、移動局は、バッテリー報告を送信し、基地局からの確認を待機する。一定の時間の後に基地局から応答が受信されない場合に、移動局は、この報告を再送信し得る。基地局は、移動局からバッテリー報告を受信した後に移動局要請を認証し得る。移動局が電力保存サービスに対する資格がある場合に、基地局は、移動局がバッテリーを保存するようにその動作を調整しなければならない。そうでなければ、基地局は、この要請をキャンセルし得る。
【００５９】
図８及び図９は、本発明の実施形態に従って強化されたアイドルモードでの移動局のためのページングサイクルを示す図である。図８及び図９は、適切なバッテリーレベルを有する移動局に対するページングサイクル８０１及び９０１を低いバッテリーレベルを有する移動局に対するページングサイクル８０３及び９０３と比較する。図８において、ページングサイクルが整列される。図９において、ページングサイクルがオフセットされる。図面において、低いバッテリーレベルを有する移動局がより長いページングサイクルを使用し、バッテリー寿命がさらに良好となるように保存するために各ページングサイクルの間により小さい使用可能な間隔８０５及び９０５を使用している。
【００６０】
本発明の一実施形態において、移動局がバッテリー報告を基地局に送信した後に、移動局は、強化されたアイドルモードに進入し得る。移動局が電力保存サービスに対する資格がある場合に、このネットワークは、アイドルモード交渉の間に移動局に対するページングサイクルを特定し得る。このようなページングサイクルは、正常の移動局に対するページングサイクル定義とは異なる。ここで、このページングサイクルは、初期のページングサイクルの長さで開始し、このページングサイクルが最大ページングサイクルに到達するまで移動局がページングされない場合にその時間が２倍となる一般的な移動局に対するページングサイクルの定義とは異なるものである。言い換えれば、ネットワークは、移動局の電力消耗を追加で保存するために移動局が開始から最大ページングサイクルを使用するように要請し得る。
【００６１】
各ページングサイクルは、移動局が任意のページングメッセージを監視するための使用可能な間隔及びこの使用可能な間隔でページングされない場合に移動局がアイドルモードに戻るための使用不能な間隔が含まれる。バッテリー電力を保存するために、ネットワークは、バッテリー報告を送信しない正常の移動局に対する使用可能な間隔より短い使用可能な間隔を各ページングサイクル８０５及び９０５に割り当て得る。
【００６２】
また、図８及び図９に示す実施形態は、スリープサイクル、聴取ウィンドー、及びスリープウィンドーの適切なパラメータを有するスリープモードに適用可能である。
【００６３】
図１０は、本発明の実施形態による基地局（例えば、基地局１０２）が移動局（例えば、移動局２００）のバッテリー寿命を保存する過程を示すフローチャートである。方法１０００は、正常動作モードでの移動局２００から始める（ステップ１００５）。次に、低いバッテリーレベルを検出する際に（すなわち、一定のしきい値以下で）、移動局２００は、バッテリー報告を基地局１０２に送信する（ステップ１０１０）。基地局１０２は、改善したバッテリー保存サービスに対する資格が移動局２００にあるか否かを決定する。また、基地局１０２は、少なくとも部分的にバッテリーレベルに基づいて使用する適切なバッテリー保存サービスを決定する。移動局２００（例えば、ネットワークで使用可能なサービスの不足又は移動局２００による以前の乱用により）が改善したバッテリー保存サービスに対する資格がない場合に、移動局２００は、正常動作を継続する。
【００６４】
一方、移動局２００が改善したサービスに対する資格がある場合に、移動局２００がアイドルモードに進入しなければならないか否かが決定される（ステップ１０１５）。移動局２００がアイドルモードに進入すべきであると決定される場合に、基地局１０２は、移動局２００がアイドルモードに進入するように構成し、図８及び図９について前に説明したような、より小さい使用可能な間隔を有するページングサイクルを特定する（ステップ１０２０）。
【００６５】
一方、（例えば、継続中のデータ接続により）移動局２００がアイドルモードに進入すべきではない場合に、移動局２００がスリープモードに進入しなければならないか否かが決定される（ステップ１０２５）。移動局がスリープモードに進入しなければならないと決定される場合には、基地局１０２は、移動局２００に対して強化されたスリープモードを割り当てる（ステップ１０３０）。この強化されたスリープモードは、従来技術で見られるような、一般的なスリープモードとは異なる。
【００６６】
従来技術のスリープモードにおいて、通常、移動局は、初期スリープモードから開始した後に、最大スリープサイクルの長さに到達するまで、前のサイクルで何もトラフィックがない際には、スリープサイクルの長さを２倍にする。各スリープサイクルは、リスニングウィンドー及びスリープウィンドーを含む。現在のスリープサイクルのリスニングウィンドーは、現在のスリープサイクルの開始部でトラフィックがあるか否かに基づいて延長可能である。現在のスリープサイクルの残りの部分は、スリープウィンドーである。
【００６７】
改善したスリープサイクルの一実施形態において、基地局１０２は、正常の移動局に対するデフォルトリスニングウィンドーより狭いか又は最小幅であるリスニングウィンドー（又は間隔）を割り当て得る。これは、各スリープサイクルで移動局２００に対するアウェイク時間を短縮させることにより電力消耗をさらに減少させ得る。一部の実施形態において、基地局１０２は、リスニングウィンドーでネガティブトラフィック指示子を送信することにより、移動局２００が現在のスリープサイクルで即座にスリープウィンドーにスイッチングすることができる。しかしながら、移動局２００がバッテリー報告を送信し、追加の電力管理に対する資格がある場合には、移動局２００のためにバッファリングされるデータがない場合に、基地局１０２は、できるだけ早くネガティブ表示器を移動局２００にブロードキャストし得る。これにより、移動局２００は、即座にスリープモードにスイッチングし得る。これは、スリープモード動作でバッテリー寿命をさらによく保存することができるためである。
【００６８】
ステップ１０２５に戻って、移動局２００がスリープモードに進入すべきであると決定されない場合に、移動局２００が持続的な割り当てモードに進入しなければならないか否かが決定される（ステップ１０３５）。移動局２００が持続的な割り当てモードに進入しなければならないと決定される場合に、基地局１０２は、バッテリー寿命をさらに保存する方式でダウンリンク及びアップリンクトラフィックを移動局に割り当てる（ステップ１０４０）。
【００６９】
例えば、基地局１０２は、幾つかのサブフレームにわたるのではなく、１つのサブフレームでダウンリンクトラフィックのスケジューリングを試みることにより、移動局２００は、１度にデータをデコーディングすることができる。他の例として、基地局１０２は、移動局２００に周期的に割り当てることができ、これにより、移動局２００は、一定の個数のサブフレームを監視するだけでよい。これが従来技術の割り当て方法に対する長所である。
【００７０】
特に、従来技術（例えば、１１３６ｒ２標準を参照）において、移動局がすでに個別の又は組み合せの持続的な割り当て（Individual or Composite Persistent Allocation）Ａ−ＭＡＰ  ＩＥにより持続的なリソースの割り当てを受ける場合にも、移動局は、任意の可能な基本割り当て（Basic Assignment）Ａ−ＭＡＰ  ＩＥに対する各ダウンリンクサブフレームを監視しなければならない。
【００７１】
本発明の実施形態において、移動局２００が持続的なリソースの割り当てを受ける場合に、移動局２００は、ダウンリンク送信を唯一周期的に監視し、サブフレームのすべてをモニタリングしないこともある。ＨＡＲＱ再送信の場合に、移動局２００は、ＨＡＲＱ再送信という面に基づいて基本割り当てＡ−ＭＡＰに対する追加のサブフレームを監視する必要があり得る。移動局２００が電力保存モードにある際に、基地局１０２は、ダウンリンク及びアップリンクのすべてに対して同期化したＨＡＲＱ再送信を使用するように移動局２００に指示することにより、移動局２００がダウンリンク再送信割り当てを検索するにあたり基本割り当てＡ−ＭＡＰに対するすべてのダウンリンクサブフレームを監視する必要がない。同期化したＨＡＲＱモードにおいて、再送信は、予め定められた位置で発生する。
【００７２】
図１１は、本発明の一実施形態に従って持続的なリソース割り当ての使用を示す図である。図１１は、サブフレームに分割される送信期間を示す。また、フレーム１１０３及びスーパーフレーム１１０５を表示するラインを示す。図１１に示すように、移動局２００は、周期的にウェークアップし、期間ごとに幾つかのフレームだけを監視する（例えば、スーパーフレーム１１０５ごとに１つのサブフレーム１１０１を監視する）。このように、他のサブフレームの間には監視活動が行われないことにより、バッテリー寿命がさらに保存され得る。
【００７３】
また、アップリンクトラフィックで使用するための保存方法が提供される。例えば、移動局２００がアップリンクトラフィックを送信するのに消費される電力を減少させるために、基地局１０２は、移動局２００に向かう受信ビームを形成し得る。これは、移動局２００が減少した送信電力を用いて信号を送信するようにする。移動局２００の近傍に中継局がある場合に、基地局１０２は、移動局アップリンクトラフィックを中継するように中継局に要請することにより移動局２００のアップリンク送信電力をさらに減少させることができる。
【００７４】
ステップ１０３５に戻って、移動局２００が持続的な割り当てモードに進入すべきではないと決定される場合に、基地局１０２は、スケジューリング及び／又は他の手段により移動局２００のバッテリー寿命を保存するための試みを行い得る（ステップ１０４５）。
【００７５】
図１２は、本発明の一実施形態による移動局がバッテリー報告を送信した場合における電力消費を保存するハンドオーバ過程を示す。図１２に示すように、サービング基地局（Ｓ−ＢＳ）は、隣接セルリスト情報（ＮＢＲ−ＡＤＶ）を移動局（ＭＳ）にユニキャストし得る。したがって、移動局は、サービング基地局が一般的な移動局のすべてに周期的にブロードキャストする標準隣接セルリストを検索し待機する必要がない。
【００７６】
ハンドオーバ準備段階において、サービング基地局は、移動局のバッテリーレベルについてターゲット基地局（Ｔ−ＢＳ）に通知することにより、このような移動局が自身のセルにハンドオーバすると、ターゲット基地局は、バッテリー保存方法を継続して実行することができる。移動局は、報告情報がバックホールを介してサービング基地局とターゲット基地局間で交換されるために、バッテリー報告をさらに送信するように要求されない。一実施形態において、ターゲット基地局及びサービング基地局は、ハンドオーバ期間を迅速に進ませることにより移動局電力消費をさらに減少させることができる。例えば、ターゲット基地局が専用レンジングコード及び専用レンジングリソースを割り当てることにより、移動局は、他の一般的な移動局からの干渉又は衝突なしにターゲット基地局に到達することができる。
【００７７】
図１３は、本発明の一実施形態に従って緊急呼（例えば、Ｅ−９１１）に対するバッテリー電力を保持する方法を示すフローチャートである。方法１３００は、前にバッテリー報告を送信した移動局（例えば、移動局２００）に基地局（例えば、基地局１０２）及びコアネットワークでの呼受付制御（call admission control）を提供する。
【００７８】
基地局１０２は、移動局２００が少なくとも１つの緊急呼を設定するための最小電力レベルを保持するように助ける。例えば、３分Ｅ−９１１呼は、Ｔ＿ｅ９１１バッテリーレベルを必要とし得る。例えば、移動局２００がＴ＿ｅ９１１より大きくないバッテリーレベルを報告した場合に、基地局１０２、ネットワーク、及び移動局２００の任意の組み合せは、他のトラフィックを拒絶し得る。このような報告の後に、移動局２００は、任意の電力消費を避けるために任意の基地局との接続を保持することを要求しない。移動局２００が緊急呼を設定する必要がある際に、残余バッテリーレベルは、移動局２００がネットワークとの同期化を取得し、呼を設定するのに十分である。
【００７９】
方法１３００は、電力保存モードにある移動局２００で始める（ステップ１３０５）。着呼が移動局２００に到達したか否かが決定される（ステップ１３１０）。着呼が到達しなかった場合に、移動局２００は、電力保存モードを保持する。しかしながら、着呼が移動局２００に到達した場合に、バッテリーレベルが緊急呼（例えば、Ｔ＿ｅ９１１）に対するしきい値より小さいか又は同一であるかを確認するためにチェックする（ステップ１３１５）。このバッテリーレベルがＴ＿ｅ９１１より小さいか又は同一である場合に、呼は拒絶される（ステップ１３２０）。しかしながら、このバッテリーレベルがＴ＿ｅ９１１より大きい場合に、このバッテリーレベルがこの着呼をサポートするのに十分であるか否かが判定される（ステップ１３２５）。このバッテリーレベルが呼をサポートすることができないと判定される場合に、この呼は、拒絶される（ステップ１３２０）。このバッテリーレベルが呼をサポートすることができると判定される場合に、この呼が接続される（ステップ１３３０）。
【００８０】
方法１３００の他の実施形態が可能である。具体的に、移動局２００が基地局１０２との継続中の呼を有すると仮定する。移動局のバッテリーレベルが緊急呼（例えば、Ｔ＿ｅ９１１）をサポートするためのしきい値と同一であるか又はそれ以下であることを示すバッテリー報告を移動局２００が送信した場合に、基地局１０２及び／又はコアネットワークは、バッテリー報告を受信すると同時に呼を中止しなければならない。これは、必要な時に、移動局２００が緊急呼を設定するのに十分な残余バッテリー電力を有していることを保証し得る。
【００８１】
方法１３００と類似した他の実施形態が可能である。例えば、呼受付制御は、緊急呼（例えば、Ｔ＿ｅ９１１に対するしきい値ではないしきい値で基地局及びネットワークにより実行され得る。基地局１０２及び／又はコアネットワークが一連のしきい値を特定することにより、このバッテリーレベルがこのような類型の応用に対して設定されたしきい値以下である場合に、ネットワーク及び／又は移動局２００は、一定の応用又は呼をいつ拒絶するかを認識する。
【００８２】
例えば、一実施形態において、移動局２００が広告目的の一定のしきい値以下のバッテリーレベルを報告した場合に、基地局１０２又はネットワークは、十分なバッテリー電力を有する他の移動局に許容され得る任意の広告を遮断し得る。他の例として、移動局２００がインターネットトラフィックに対する一定のしきい値以下のバッテリーレベルを報告した場合に、基地局１０２又はネットワークは、十分なバッテリー電力を有する他の移動局に許容され得る任意のインターネットトラフィックを遮断することができる。
【００８３】
本願に開示された方法及びシステムは、従来技術に比べて複数の長所を提供する。また、この開示された方法は、移動局がバッテリーレベルだけでなく装置タイプも報告するようにすることにより、基地局は、移動局に対するバッテリー寿命を保存するためにどのように自身の動作を調整するかに関するより良い決定を下すことができる。また、この開示された方法は、移動局が装置タイプ及び実際の動作シナリオでの状態を判定する認識能力を提供する。
【００８４】
また、基地局及び移動局がバッテリー報告の体系的な報告、キャンセル、及び監視を行う方法が開示されることにより、すべての移動局に公平なサービスが提供され得る。さらに、このような方法は、多くの改善物を基地局に提供することによりアクティブモード、スリープモード、アイドルモード、及びハンドオーバなどを有する改善した特徴を用いて移動局のバッテリー寿命の保存を助ける。
【００８５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００８６】
１００  無線ネットワーク
１０１、１０２、１０３  基地局
１１１、１１２、１１３、１１４、１１５、１１６  加入局
１２０、１２５  カバレッジ領域
１３０  インターネットプロトコルネットワーク
２００  無線移動局
２０５  アンテナ
２１０  無線周波数送受信器
２１５  送信処理回路
２２０  マイクロフォン
２２５  受信処理回路
２３０  スピーカ
２４０  メインプロセッサ
２４５  入力／出力インターフェース
２５０  キーパッド
２５５  ディスプレー
２６０  メモリ
２６１  基本オペレーティングシステムプログラム
２７０  電力マネージャ
２８０  バッテリー
【図１】
0005522864.tif 000002
【図２】
0005522864.tif 000003
【図３】
0005522864.tif 000004
【図４】
0005522864.tif 000005
【図５】
0005522864.tif 000006
【図６】
0005522864.tif 000007
【図７】
0005522864.tif 000008
【図８】
0005522864.tif 000009
【図９】
0005522864.tif 000010
【図１０】
0005522864.tif 000011
【図１２】
0005522864.tif 000012
【図１３】
0005522864.tif 000013
【図１１】
0005522864.tif 000014